(57)【特許請求の範囲】
【請求項１】
多数の板状囲み部材が並設状態に配設され、各前記板状囲み部材に設けられた通し孔に引き締め用紐体が通し配設されて各前記板状囲み部材が連結され、隣り合う一方の板状囲み部材の一側端部と他方の板状囲み部材の反対側端部との連結部で折曲して折り畳み収納自在に構成した囲み構造体であって、隣り合う一方の板状囲み部材の一側端部に設けられた連結係止部と、他方の板状囲み部材の反対側端部に設けられた連結係合部とが係合した連結状態において前記連結部の少なくとも所定折曲角度以上の折曲を阻止して片側への折曲重合を阻止する折曲規制作用を生じさせる折曲規制機構が備えられ、前記引き締め用紐体が引き締められることで各前記板状囲み部材が前記引き締め用紐体の引き締め方向と反対方向に押し寄せられ、前記連結係止部と前記連結係合部とが係合した連結状態となって前記折曲規制機構の前記折曲規制作用が生じることで所定の曲成形状に形成され、少なくとも前記引き締め用紐体が緩められた状態では前記連結部で折曲して折り畳み収納し得るように構成され、前記折曲規制機構は、前記板状囲み部材の並設方向一側端部を折曲突出させて形成された前記連結係止部と、前記板状囲み部材の並設方向反対側端部を折曲突出させて形成された規制突出部と、この規制突出部に隣接状態に設けられた前記連結係合部とで構成されると共に、前記連結係止部と前記連結係合部とが係合した状態で前記連結部を前記片側へ折曲した際に、前記連結係止部若しくは前記規制突出部が前記板状囲み部材に設けられた受部に突き当ることで、隣り合う前記板状囲み部材が前記片側へ所定折曲角度以上折曲することが規制される前記折曲規制作用が生じる構成とされることを特徴とする囲み構造体。
【請求項２】
前記折曲規制機構は、前記引き締め用紐体が引き締められて多数の前記板状囲み部材が前記反対方向に押し寄せられた際、前記連結係止部と前記連結係合部とが係合し、各前記板状囲み部材を片側へ所定折曲角度以上折曲することが規制され且つ前記片側の反対側へは折曲重合して折り畳み収納し得るように構成され、前記引き締め用紐体が緩められることで、前記反対側へ折曲して各板状囲み部材を重合させることが前記引き締め用紐体を引き締めた状態より容易となる又は前記片側への前記折曲規制作用も失われて前記片側への折曲重合も自在となる構成とされることを特徴とする請求項１記載の囲み構造体。
【請求項３】
前記折曲規制機構は、前記規制突出部に隣接状態に設けられた凹部を前記連結係止部が係合する前記連結係合部とされ、前記連結係止部と前記連結係合部とが凹凸係合した状態で前記連結部を前記片側へ折曲した際に、前記連結係止部若しくは前記規制突出部が前記板状囲み部材に設けた受部に突き当ることで、隣り合う前記板状囲み部材が前記片側へ所定折曲角度以上折曲することが規制される前記折曲規制作用が生じる構成とされることを特徴とする請求項１，２のいずれか１項に記載の囲み構造体。
【請求項４】
多数並設状態に連結された前記板状囲み部材の前記引き締め用紐体の引き締め方向側と反対側の端部に位置する板状囲み部材に、前記引き締め用紐体の一端部を固定又は抜け止め係止する若しくは前記引き締め用紐体の途中を折り返し係止し、前記引き締め用紐体の引き締め方向側の端部に位置する板状囲み部材に、前記引き締め用紐体の引き出し端を係止し引き締め状態を保持する引き締め保持用係止部が設けられていることを特徴とする請求項１〜３のいずれか１項に記載の囲み構造体。
【発明の詳細な説明】
【技術分野】
【０００１】
本発明は、多数の板状囲み部材を並設状態に連結し、隣り合う一方の板状囲み部材の一側端部と他方の板状囲み部材の反対側端部との連結部で折曲して折り畳み収納自在に構成した囲み構造体に関するものである。
【背景技術】
【０００２】
例えば、キャンプ等の野外で使用するコンロ用の風防に構成した囲み構造体は、コンロと共に携帯できるよう折り畳み収納自在に構成されたものが多く、一般的には、ヒンジを用いて板状囲み部材同士を連結した構成となっている。
【０００３】
しかしながら、このヒンジを用いて板状囲み部材を連結した従来の囲み構造体は、所定折曲角度以上の折曲を規制して所定の囲み形状を形成するための折曲規制機構を設けると、コンパクトに折り畳み収納できなくなってしまうため、この折曲規制機構を設けることができず、よって、囲み構造体を容易に所定の囲み形状に形成できなかったり、囲み形状の保持が困難で僅かな接触で直ぐに囲み形状が崩れてしまう問題があった。
【０００４】
また、このような問題を解決するために、折曲規制機構を設けると、この折曲規制機構の作用によりコンパクトに折り畳み収納することができない構造となり、折り畳みできても精々二つ折り程度しか折り畳めずコンパクトな収納状態とならず携帯性を低下させる問題があった。
【０００５】
即ち、従来、折曲規制機構を備え、容易に所定形状の保持ができ、そのうえ、コンパクトに折り畳み収納自在に構成した囲み構造体はなかった。
【発明の概要】
【発明が解決しようとする課題】
【０００６】
本発明は、このような現状に鑑みなされたもので、折曲規制機構を備え、所定の囲み形状に容易に形成することができると共にこの形成した囲み形状が崩れにくく、しかも、コンパクトに折り畳み収納できる実用性及び携帯性に優れた画期的な囲み構造体を提供することを目的とする。
【課題を解決するための手段】
【０００７】
添付図面を参照して本発明の要旨を説明する。
【０００８】
多数の板状囲み部材１が並設状態に配設され、各前記板状囲み部材１に設けられた通し孔２に引き締め用紐体３が通し配設されて各前記板状囲み部材１が連結され、隣り合う一方の板状囲み部材１の一側端部と他方の板状囲み部材１の反対側端部との連結部４で折曲して折り畳み収納自在に構成した囲み構造体であって、隣り合う一方の板状囲み部材１の一側端部に設けられた連結係止部５と、他方の板状囲み部材１の反対側端部に設けられた連結係合部６とが係合した連結状態において前記連結部４の少なくとも所定折曲角度以上の折曲を阻止して片側への折曲重合を阻止する折曲規制作用を生じさせる折曲規制機構18が備えられ、前記引き締め用紐体３が引き締められることで各前記板状囲み部材１が前記引き締め用紐体３の引き締め方向と反対方向に押し寄せられ、前記連結係止部５と前記連結係合部６とが係合した連結状態となって前記折曲規制機構18の前記折曲規制作用が生じることで所定の曲成形状に形成され、少なくとも前記引き締め用紐体３が緩められた状態では前記連結部４で折曲して折り畳み収納し得るように構成され、前記折曲規制機構18は、前記板状囲み部材１の並設方向一側端部を折曲突出させて形成された前記連結係止部５と、前記板状囲み部材１の並設方向反対側端部を折曲突出させて形成された規制突出部７と、この規制突出部７に隣接状態に設けられた前記連結係合部６とで構成されると共に、
前記連結係止部５と前記連結係合部６とが係合した状態で前記連結部４を前記片側へ折曲した際に、前記連結係止部５若しくは前記規制突出部７が前記板状囲み部材１に設けられた受部８に突き当ることで、隣り合う前記板状囲み部材１が前記片側へ所定折曲角度以上折曲することが規制される前記折曲規制作用が生じる構成とされることを特徴とする囲み構造体に係るものである。
【０００９】
また、前記折曲規制機構18は、前記引き締め用紐体３が引き締められて多数の前記板状囲み部材１が前記反対方向に押し寄せられた際、前記連結係止部５と前記連結係合部６とが係合し、各前記板状囲み部材１を片側へ所定折曲角度以上折曲することが規制され且つ前記片側の反対側へは折曲重合して折り畳み収納し得るように構成され、前記引き締め用紐体３が緩められることで、前記反対側へ折曲して各板状囲み部材１を重合させることが前記引き締め用紐体３を引き締めた状態より容易となる又は前記片側への前記折曲規制作用も失われて前記片側への折曲重合も自在となる構成とされることを特徴とする請求項１記載の囲み構造体に係るものである。
【００１０】
また、前記折曲規制機構18は、前記規制突出部７に隣接状態に設けられた凹部を前記連結係止部５が係合する前記連結係合部６とされ、前記連結係止部５と前記連結係合部６とが凹凸係合した状態で前記連結部４を前記片側へ折曲した際に、前記連結係止部５若しくは前記規制突出部７が前記板状囲み部材１に設けた受部８に突き当ることで、隣り合う前記板状囲み部材１が前記片側へ所定折曲角度以上折曲することが規制される前記折曲規制作用が生じる構成とされることを特徴とする請求項１，２のいずれか１項に記載の囲み構造体に係るものである。
【００１１】
また、多数並設状態に連結された前記板状囲み部材１の前記引き締め用紐体３の引き締め方向側と反対側の端部に位置する板状囲み部材１に、前記引き締め用紐体３の一端部を固定又は抜け止め係止する若しくは前記引き締め用紐体３の途中を折り返し係止し、前記引き締め用紐体３の引き締め方向側の端部に位置する板状囲み部材１に、前記引き締め用紐体３の引き出し端３Ａを係止し引き締め状態を保持する引き締め保持用係止部９が設けられていることを特徴とする請求項１〜３のいずれか１項に記載の囲み構造体に係るものである。
【発明の効果】
【００１２】
本発明は上述のように構成したから、コンパクトに折り畳み収納できる構成でありながら、単に引き締め用紐体を引き締めて、各板状囲み部材を引き締め用紐体の引き締め方向と反対方向側に押し寄せるだけの極めて簡易な操作で、折曲規制機構の折曲規制作用が有効状態となって容易に所定の曲成形状（囲み形状）に形成することができ、しかも、折曲規制作用により囲み方向に対して剛性が発揮され、この形成した曲成形状（囲み形状）が崩れにくくなって、安定した囲み状態を保持することができる実用性及び携帯性に優れた画期的な囲み構造体となる。
【図面の簡単な説明】
【００１３】
【図１】本実施例の引き締め用紐体を緩めた状態を示す正面側斜視図である。
【図２】本実施例の引き締め用紐体を緩めた状態を示す背面側斜視図である。
【図３】本実施例の板状囲み部材を示す正面図である。
【図４】本実施例の板状囲み部材を示す平面図である。
【図５】本実施例の引き締め用紐体を引き締めた状態を示す正面側斜視図である。
【図６】本実施例の引き締め用紐体を引き締めた状態を示す背面側斜視図である。
【図７】本実施例の隣り合う板状囲み部材同士の連結部の状態を示す説明図である。
【図８】本実施例を囲み形状に形成した状態を示す斜視図である。
【図９】本実施例を囲み形状に形成した状態を示す平面図である。
【図１０】本実施例を折り畳み収納する状態及び折り畳み収納状態を示す図である。
【図１１】本実施例の使用状態を示す斜視図である。
【発明を実施するための形態】
【００１４】
好適と考える本発明の実施形態を、図面に基づいて本発明の作用を示して簡単に説明する。
【００１５】
引き締め用紐体３を引き締めて、各板状囲み部材１をこの引き締め用紐体３の引き締め方向と反対方向に押し寄せると、並設状態の板状囲み部材１の隣り合う一方の板状囲み部材１の連結係止部５と他方の板状囲み部材１の連結係合部６とが係合状態となり、折曲規制機構18が有効状態となって折曲規制作用が生じる状態となる。
【００１６】
これにより、引き締め用紐体３の引き締めにより一方側に押し寄せた多数の板状囲み部材１を片側へ折曲すると、折曲規制作用が生じて連結部４での所定折曲角度以上の折曲が阻止され、容易に所定の曲成形状（囲み形状）に形成されることとなる。
【００１７】
しかも、この囲み形状にした状態においては、折曲規制作用により囲み方向（前記片側）に対して剛性が発揮され、形成した囲み形状が崩れにくくなる（保持される）。
【００１８】
また、引き締め用紐体３を緩めた状態にすると、上述した板状囲み部材１の一方側への押し寄せ状態が解除され、例えば隣り合う一方の板状囲み部材１の連結係止部５と他方の板状囲み部材１の連結係合部６との係合状態が解除され、この隣り合う板状囲み部材１同士の連結部４で容易に折曲可能となり、例えば一方向に巻き取るように折り畳んだり、つづら折り状態に折り畳んだりして一枚の板状囲み部材１の大きさの収納状態に折り畳み収納することができ、携帯し易いコンパクトな収納状態となる。
【００１９】
このように、本発明は、コンパクトに折り畳み収納できる構成でありながら、単に引き締め用紐体３を引き締めて、各板状囲み部材１をこの引き締め用紐体３の引き締め方向と反対方向に押し寄せるだけの極めて簡易な操作で、折曲規制機構18が有効状態となって折曲時に折曲規制作用が生じて容易に所定の囲み形状に形成することができ、しかも、この折曲規制作用により囲み方向に対して剛性が発揮され、この形成した囲み形状が崩れにくく安定した囲み状態を保持することができる実用性及び携帯性に優れた画期的な囲み構造体となる。
【実施例】
【００２０】
本発明の具体的な実施例について図面に基づいて説明する。
【００２１】
本実施例は、多数の板状囲み部材１を並設状態に配設し、各板状囲み部材１に設けた通し孔２に引き締め用紐体３を通し配設して各板状囲み部材１を連結し、隣り合う一方の板状囲み部材１の一側端部と他方の板状囲み部材１の反対側端部との連結部４で折曲して折り畳み収納自在に構成した囲み構造体であって、隣り合う一方の板状囲み部材１の一側端部に設けた連結係止部５と他方の板状囲み部材１の反対側端部に設けた連結係合部６とを係合した連結状態において少なくとも所定折曲角度以上の折曲を阻止して片側への折曲重合を阻止する折曲規制作用を生じる折曲規制機構18を備え、前記引き締め用紐体３を引き締めることで各板状囲み部材１が前記引き締め用紐体３の引き締め方向と反対方向に押し寄せられ前記連結係止部５と前記連結係合部６とが係合した連結状態となって前記折曲規制機構18の前記折曲規制作用が生じることで所定の曲成形状に形成されるように構成し、少なくとも前記引き締め用紐体３を緩めた状態では前記連結部４で折曲して折り畳み収納し得るように構成したものである。
【００２２】
具体的には、引き締め用紐体３を引き締めて多数の板状囲み部材１をこの引き締め用紐体３の引き締め方向と反対方向に押し寄せた際、連結係止部５と連結係合部６とが係合し、各板状囲み部材１を片側（内側若しくは外側）へ所定折曲角度以上折曲することが規制され且つ片側の反対側へは折曲重合して折り畳み収納し得るように折曲規制機構18を構成し、引き締め用紐体３を緩めることで、反対側へ折曲して各板状囲み部材１を重合させることが引き締め用紐体３を引き締めた状態より容易となるように又は片側への折曲規制作用も失われて片側への折曲重合も自在となるように構成している。
【００２３】
尚、本実施例は、上述した本発明の囲み構造体を、図１１に示すようなキャンプ等の野外活動で使用するガスコンロ10の風防壁材11に構成した場合である。
【００２４】
以下、本実施例に係る構成各部について詳細に説明する。
【００２５】
本実施例の風防壁材11は、図１，２に示すように同一形状の板状囲み部材１を多数並設状態に連結して成るものである。
【００２６】
具体的には、板状囲み部材１は、金属製の薄板部材から成り、図３に示すような方形状に形成すると共に、並設方向（連結方向）となる左右方向の一側端部（本実施例では左側端部）に連結係止部５を設け反対側端部（右側端部）に連結係合部６を設けた構成としている。
【００２７】
より具体的に説明すると、図４に示すように連結係止部５は、板状囲み部材１の左側端部の略中央部に形成した帯状突出片を板状囲み部材１の背面側（風防壁材11を囲み形状に形成した際の内側）に向けて所定角度で折曲突出して形成した構成としている。
【００２８】
また、連結係合部６は、上述した凸状の連結係止部５と凹凸係合する凹状に形成した構成とし、具体的には、板状囲み部材１の右側端部の上部側及び下部側に形成した帯状突出片を連結係止部５と同じ方向、即ち図４に示すように板状囲み部材１の背面側（風防壁材11を囲み形状に形成した際の内側）に向けて所定角度で折曲突出して規制突出部７を形成し、この上下方向に間隔をおいて設けた規制突出部７間の凹部を連結係合部６とした構成としている。
【００２９】
また、本実施例の板状囲み部材１は、他の板状囲み部材１の規制突出部７が突き当り係止する受部８を設けた構成とし、具体的には、受部８は、図３に示すように板状囲み部材１の連結係止部５を設けた側の板状囲み部材１の板面端部に設けた構成としている。
【００３０】
本実施例は、この連結係止部５、連結係合部６、規制突出部７及び受部８とで折曲規制機構18を構成し、連結係止部５と連結係合部６との係合、具体的には、隣り合う板状囲み部材１の一方の板状囲み部材１の連結係止部５と他方の板状囲み部材１の連結係合部６との係合状態において、風防壁材11の片側、本実施例の場合、板状囲み部材１の背面側に風防壁材11を各連結係止部５と連結係合部６とが係合する連結部４で折曲することにより、連結係止部５及び規制突出部７が受部８に突き当り係止して折曲が阻止される折曲規制機構18の折曲規制作用が生じる構成としている。
【００３１】
また、本実施例の板状囲み部材１は、図３に示すように連結係止部５と規制突出部７との夫々に、板状囲み部材１に通し配設した引き締め用紐体３と係合する切り欠き部12を凹設した構成とし、風防壁材11を折り畳み収納する際、引き締め用紐体３がこの切り欠き部12に収納されると共に、引き締め用紐体３がこの切り欠き部12にガイドされ、引き締め用紐体３が位置ズレせず、きれいに折り畳み収納できるように構成している。
【００３２】
更に、本実施例の板状囲み部材１は、上下端部に夫々、ガスコンロ10の五徳部13の先端部を着脱自在に掛け止め可能な掛止部14を凹設した構成としている。
【００３３】
具体的には、本実施例は、板状囲み部材１の上端縁中央部に長溝形状に形成した長溝掛止部14Ａを設け、下端縁中央部に短溝形状に形成した短溝掛止部14Ｂを設けた構成とし、五徳部13の位置を低くしたい場合は、上端縁に設けた長溝掛止部14Ａに掛け止めし、五徳部13の位置を高くしたい場合は、本実施例の風防壁材11を上下反転させ、下端縁に設けた短溝掛止部14Ｂが上端縁となるようにして、この短溝掛止部14Ｂに掛け止めする構成としている。尚、図１１は、五徳部13を長溝掛止部14Ａに掛け止めした状態を示している。
【００３４】
また更に、本実施例の板状囲み部材１は、通し孔２を設けた構成とし、具体的には、通し孔２は、板状囲み部材１の左右端部側及び左右方向（幅方向）中央部付近に夫々、上下方向（高さ方向）の中央より上部側寄り及び下部側寄りに設け、高さ方向中央を境にして上部側と下部側に夫々引き締め用紐体３を架設状態に通し配設し得る構成としている。
【００３５】
また、本実施例の板状囲み部材１は、図１１に示すように板面に通気孔15を設けた構成とし、この通気孔15は、ガスコンロ10使用時、風防壁材11で囲った内部に外部から空気を流入し、不完全燃焼を防止する目的で設けられたものである。
【００３６】
本実施例は、このように構成した板状囲み部材１を多数（本実施例では７枚）並設状態に配設し、この並設状態に配設した各板状囲み部材１の通し孔２に引き締め用紐体３を通し配設して各板状囲み部材１同士を連結した構成としている。
【００３７】
具体的には、本実施例は、引き締め用紐体３として金属製ワイヤー３を採用し、この金属製ワイヤー３は、図１に示すように風防壁材11の一端側に位置する板状囲み部材１の上部側寄り若しくは下部側寄りのいずれかの通し孔２から板状囲み部材１の板面に対して表裏交互に（正面側と背面側とを交互に）通し配設し、風防壁材11の他端側に位置する板状囲み部材１で折返し、再び表裏交互に通し配設し、金属製ワイヤー３の両端部を前記一端側に位置する板状囲み部材１から延出する金属製ワイヤー３の両端部をカシメ部材等で連結してループ状にして抜け止め状態に設けた構成としている。
【００３８】
また、本実施例は、この通し配設した金属製ワイヤー３の折返し部にハンドル16を設け、金属製ワイヤー３を引き締める際、このハンドル16を引動操作部として引き操作することで、上下に対向する二本の金属製ワイヤー３を均等に引き締め操作し得るように構成している。
【００３９】
また更に、本実施例は、風防壁材11のハンドル16を設けた側の端部に位置する板状囲み部材１の正面側板面に引き締め保持用係止部９を設けた構成とし、この引き締め保持用係止部９に引き締めにより板状囲み部材１から引き出した金属製ワイヤー３の引き出し端３Ａを係止することで、金属製ワイヤー３が緩むことなく引き締め状態が保持される構成としている。
【００４０】
具体的には、本実施例は、縦長帯状の係止板17を少なくともその上下部が板状囲み部材１の板面との間に金属製ワイヤー３の直径（太さ）より小径の隙間を介在するようにして付設し、この係止板17の上下部と板状囲み部材１の板面との間に生じている隙間を引き締め保持用係止部９とし、この引き締め保持用係止部９に金属製ワイヤー３の引き出し端３Ａを圧入係止することによって引き締め状態を保持できる構成としている。
【００４１】
尚、本実施例は、一本の金属製ワイヤー３を折り返し配設して各板状囲み部材１に通し配設した構成としたが、二本の金属製ワイヤー３を用い、各金属製ワイヤー３を夫々板状囲み部材１に抜け止め状態に通し配設した構成としても良い。
【００４２】
上述のように構成した本実施例の作用・効果について以下に説明する。
【００４３】
本実施例の風防壁材11を所定の囲み形状、具体的には平面視Ｃ状（若しくは平面視環状）の囲み形状に形成する際は、図５，６に示すようにハンドル16を引動操作し金属製ワイヤー３を引き締め、各板状囲み部材１をこの金属製ワイヤー３の引き締め方向と反対方向の一方側に押し寄せる。
【００４４】
この金属製ワイヤー３の引き締め操作により、図７（ａ）に示すような風防壁材11を形成する各板状囲み部材１の隣り合う板状囲み部材１同士が間隔をおいて金属製ワイヤー３を介して間接的に連結している状態（緩み状態）から、図７（ｂ）に示すような隣り合う板状囲み部材１同士が直接的に連結し、隣り合う一方の板状囲み部材１の連結係止部５と他方の板状囲み部材１の連結係合部６とが係合状態（引き締め状態）となり、折曲規制機構18が有効状態となって折曲規制作用が生じる状態となる。
【００４５】
この折曲規制機構18が有効状態となった連結状態の風防壁材11の各板状囲み部材１同士が連結する連結部４を背面側に折曲すると、図７（ｃ）に示すように連結係止部５及び規制突出部７が隣り合う板状囲み部材１の受部８に突き当って折曲が規制される折曲規制作用が生じ、図８，９に示すような各板状囲み部材１同士が所定角度を成して連結した平面視Ｃ形状の囲み形状を呈する風防壁材11となる。
【００４６】
また、この囲み形状に形成した際は、折曲規制作用により風防壁材11は、囲み方向に対して剛性を発揮し、この形成した囲み形状が崩れにくくなって、囲み形状が良好に保持される。
【００４７】
また、風防壁材11を折り畳み収納する際は、図１，２に示すような金属製ワイヤー３を緩めた状態にして、板状囲み部材１の一方側への押し寄せ状態を解除し、隣り合う一方の板状囲み部材１の連結係止部５と他方の板状囲み部材１の連結係合部６との係合状態を解除すると、板状囲み部材１同士の連結部４は屈曲自在な金属製ワイヤー３により形成され、よって、この隣り合う板状囲み部材１同士の連結部４で容易に折曲可能となり、図１０（ａ）に示すように一方向に巻き取るように折り畳んで図１０（ｂ）に示すような一枚の板状囲み部材１の大きさの収納状態に折り畳み収納することができ、携帯しやすいコンパクトな収納状態となる。
【００４８】
このように、本実施例の風防壁材11は、コンパクトに折り畳み収納できる構成でありながら、単に金属製ワイヤー３（引き締め用紐体３）を引き締め、各板状囲み部材１をこの金属製ワイヤー３の引き締め方向と反対方向の一方側に押し寄せるだけの極めて簡易な操作で、各板状囲み部材１に設けた連結係止部５及び規制突出部７が受部８に突き当り係止して所定角度以上の折曲が阻止される折曲規制機構18が有効状態となって折曲規制作用が生じることで容易に所定の囲み形状（平面視Ｃ形状）に形成することができ、しかも、この折曲規制作用により囲み方向に対して剛性が発揮され、これにより形状が崩れにくく安定した囲み状態を保持することができる実用性及び携帯性に優れた画期的な風防壁材11となる。
【００４９】
また、本実施例は、同一形状の板状囲み部材１を単に金属製ワイヤー３を通し配設して連結しただけの極めて簡易な構成なので、従来のようなヒンジやこれを着設するネジなどの部材を要しないので、部品点数が少なく容易に製造することができ、低コストで優れた生産性を発揮する画期的な囲み構造体となる。
【００５０】
尚、本発明は、本実施例に限られるものではなく、各構成要件の具体的構成は適宜設計し得るものである。
【符号の説明】
【００５１】
１  板状囲み部材
２  通し孔
３  引き締め用紐体
３Ａ  引き出し端
４  連結部
５  連結係止部
６  連結係合部
７  規制突出部
８  受部
９  引き締め保持用係止部
18  折曲規制機構
【図１】
0006008906.tif 000002
【図２】
0006008906.tif 000003
【図３】
0006008906.tif 000004
【図４】
0006008906.tif 000005
【図５】
0006008906.tif 000006
【図６】
0006008906.tif 000007
【図７】
0006008906.tif 000008
【図８】
0006008906.tif 000009
【図９】
0006008906.tif 000010
【図１０】
0006008906.tif 000011
【図１１】
0006008906.tif 000012